(57)【特許請求の範囲】
【請求項１】
１本の絶縁電線及び／または互いに撚り合わされた複数の絶縁電線を備え、該絶縁電線の長手方向に直交するケーブル幅方向に並んだ複数のコアと、
複数の上記コアを一括して覆うシースと、
複数の上記コアのうちいずれかの上記コアの外表面と、当該コアに隣り合う上記コアの外表面と、上記シースの内表面とにより囲まれた中空部とを有し、
該シースは、
複数の上記コアのうち両端に配置された上記コアの外表面に沿う一対のシース端部と、
一対の上記シース端部間を繋ぐ連結部と、
該連結部と一体に形成されており、上記連結部における上記中空部を覆う部分の外側に設けられた補強部とを有している、フラットケーブル。
【請求項２】
上記ケーブル幅方向における上記補強部の中央部の肉厚は、上記ケーブル幅方向における端部の肉厚よりも厚い、請求項１に記載のフラットケーブル。
【請求項３】
上記フラットケーブルの長手方向に垂直な断面において、上記補強部の外表面は弧状を呈している、請求項２に記載のフラットケーブル。
【請求項４】
上記補強部は、上記ケーブル幅方向における上記連結部の全体にわたって設けられている、請求項１〜３のいずれか１項に記載のフラットケーブル。
【請求項５】
上記フラットケーブルの長手方向に垂直な断面において、上記シースの外表面は楕円状を呈している、請求項１〜４のいずれか１項に記載のフラットケーブル。
【請求項６】
請求項１〜５のいずれか１項に記載のフラットケーブルと、該フラットケーブルの端末部に装着されたゴム栓とを有する止水ケーブルであって、
上記端末部は、上記シースと、該シースから突出した上記絶縁電線とを有しており、
上記ゴム栓は、
上記シースを被覆するシース被覆部と、
該シース被覆部に連なり、上記絶縁電線の突出部を被覆する電線被覆部と、
該電線被覆部に形成され、上記突出部が挿通された貫通孔とを有している、止水ケーブル。
【請求項７】
上記止水ケーブルは、上記ゴム栓を覆うハウジング部を更に有しており、該ハウジング部は、上記シース被覆部を内側に押圧するシース押圧部と、上記電線被覆部を内側に押圧する電線押圧部とを有している、請求項６に記載の止水ケーブル。
【発明の詳細な説明】
【技術分野】
【０００１】
本発明は、フラットケーブル及び止水ケーブルに関する。
【背景技術】
【０００２】
従来、種々の分野において、複数の絶縁電線と、これらの絶縁電線を一括して被覆するシースとを備えた多芯ケーブルが用いられている。この種の多芯ケーブルとして、長手方向に直交する断面の形状が扁平なフラットケーブルが知られている。フラットケーブルは円形の断面を有するケーブルに比べて柔軟であるため、配索のためのスペースが狭い箇所や、機器の使用中に繰り返し屈曲を受ける箇所等に用いられている。
【０００３】
フラットケーブルの端末からシースの内部、あるいは絶縁電線の内部に水や異物等が侵入すると、水分の凍結や異物による摩耗が生じ、絶縁電線の損傷を招くおそれがある。これらの問題を防止するため、フラットケーブルの端末部に止水処理が施されることがある。止水処理としては、例えば、端末部に存在する隙間にポッティング樹脂を充填する、端末部の外周をモールド樹脂により被覆する等の方法が多用されている。
【０００４】
また、シースの外周に密着するシース側リップと、絶縁電線の外周に密着する電線側リップとを備えたゴム栓を、断面が円形である多芯ケーブルの端末部に装着する技術も提案されている（特許文献１）。
【先行技術文献】
【特許文献】
【０００５】
【特許文献１】特開２０１６−１０３０３号公報
【発明の概要】
【発明が解決しようとする課題】
【０００６】
しかし、ポッティング樹脂やモールド樹脂を用いて行う従来の止水処理は、工程数の増大を招くとともに各工程での所要時間も長くなりやすいため、工数が大きくなりやすい。また、従来の止水処理は、止水性能にバラつきが生じ易いため、高い止水性能を容易に確保する観点から未だ改善の余地がある。
【０００７】
また、フラットケーブルは、特許文献１のように断面が円形である多芯ケーブルとは異なり、シースの外表面にかかるゴム栓の面圧が均等になりにくい。例えば、シースの平坦部にかかる面圧は、ケーブル幅方向の両端部にかかる面圧に比べて低くなり易い。また、シースの平坦部は比較的剛性が低いため、ゴム栓の押圧力に耐え切れず、内側へ陥没しやすい。そして、シースの平坦部がこのように変形すると、シースの平坦部に加わる面圧がより低くなる。それ故、フラットケーブルの端末部に特許文献１のようなゴム栓を装着すると、ゴム栓とシースの平坦部との間からシースの内部あるいは絶縁電線の内部へ水等が侵入しやすいという問題がある。
【０００８】
本発明は、かかる背景に鑑みてなされたものであり、ゴム栓により端末部の止水を行うことができるフラットケーブル、及び、このフラットケーブルを備えた止水ケーブルを提供しようとするものである。
【課題を解決するための手段】
【０００９】
本発明の一態様は、１本の絶縁電線及び／または互いに撚り合わされた複数本の絶縁電線を備え、該絶縁電線の長手方向に直交するケーブル幅方向に並んだ複数のコアと、
複数の上記コアを一括して覆うシースと、
複数の上記コアのうちいずれかの上記コアの外表面と、当該コアに隣り合う上記コアの外表面と、上記シースの内表面とにより囲まれた中空部とを有し、
該シースは、
複数の上記コアのうち両端に配置された上記コアの外表面に沿う一対のシース端部と、
一対の上記シース端部間を繋ぐ連結部と、
該連結部と一体に形成されており、上記連結部における上記中空部を覆う部分の外側に設けられた補強部とを有している、フラットケーブルにある。
【００１０】
本発明の他の態様は、上記の態様のフラットケーブルと、該フラットケーブルの端末部に装着されるゴム栓とを有する止水ケーブルであって、
上記端末部は、上記シースと、該シースから突出した上記絶縁電線とを有しており、
上記ゴム栓は、
上記シースを被覆するシース被覆部と、
該シース被覆部に連なり、上記絶縁電線の突出部を被覆する電線被覆部と、
該電線被覆部に形成され、上記突出部が挿通された貫通孔とを有している、止水ケーブルにある。
【発明の効果】
【００１１】
上記フラットケーブルにおける上記シースは、一対の上記シース端部と、一対の上記シース端部を繋ぐ連結部と、該連結部における上記中空部を覆う部分の外側に設けられた上記補強部とを有している。上記シースにおける上記中空部を覆う部分は、上記連結部に加えて上記補強部を有しているため、上記フラットケーブルの端末部にゴム栓が装着された際に、上記シースにおける上記中空部を覆う部分が内側に陥没することを抑制することができる。そのため、上記フラットケーブルは、その端末部にゴム栓が装着された際に、上記シースの外表面に十分な大きさの面圧をかけることができる。その結果、上記フラットケーブルは、ゴム栓により端末部の止水を行うことができる。
【００１２】
また、上記シースに上記補強部を設けることにより、上記シースの形状に合致しないゴム栓を装着した場合であっても、上記シースの外表面に加わる面圧を十分に大きくすることができる。それ故、上記フラットケーブルによれば、形状や大きさが異なる種々の上記フラットケーブルに共通のゴム栓を適用することができる。その結果、ゴム栓の形状変更に要する手間や費用等を低減するという効果を期待することができる。
【００１３】
上記止水ケーブルは、上記の態様のフラットケーブルと、該フラットケーブルの端末部に装着された上記ゴム栓とを有している。上記止水ケーブルにおいては、上記シース被覆部が上記シース端部及び上記補強部を押圧することにより、上記シース被覆部と上記シースとの間から上記シースの内部等への水等の侵入を抑制することができる。また、上記電線被覆部が上記絶縁電線の上記突出部を押圧することにより、上記電線被覆部と上記突出部との間から上記絶縁電線の内部等への水等の侵入を抑制することができる。それ故、上記止水ケーブルは、優れた止水性能を有している。
【図面の簡単な説明】
【００１４】
【図１】実施例１における、止水ケーブルの斜視図である。
【図２】図１のII−II線矢視断面図である。
【図３】実施例２における、２本の撚線コアを備えた止水ケーブルの斜視図である。
【図４】図３のIV−IV線矢視断面図である。
【図５】実施例３における、単線コアと撚線コアとが混在している止水ケーブルの斜視図である。
【図６】図５のVI−VI線矢視断面図である。
【図７】実施例４における、中空部ごとに分割して形成されている補強部を備えた止水ケーブルの斜視図である。
【図８】図７のVIII−VIII線矢視断面図である。
【発明を実施するための形態】
【００１５】
上記フラットケーブルにおいて、各コアは、１本の絶縁電線からなる単線コアであってもよく、互いに撚り合わされた複数本の絶縁電線からなる撚線コアであってもよい。絶縁電線としては、導体と、導体を被覆する絶縁体とを備えた公知の絶縁電線を採用することができる。
【００１６】
シース内には、同一の構成を有するコアが配置されていてもよく、異なる構成を有するコアが混在していてもよい。例えば、シース内に２本のコアが配置されている場合、両方のコアが単線コアであってもよいし、両方のコアが撚線コアであってもよい。また、一方のコアを単線コアとし、他方のコアを撚線コアとすることもできる。シース内に３本以上のコアが配置されている場合にも、上記と同様に、全てのコアが単線コアである構成、全てのコアが撚線コアである構成及び単線コアと撚線コアとが混在している構成のいずれの構成を採用してもよい。
【００１７】
また、シース内に配置されるコアの外径は、同一であってもよく、互いに異なっていてもよい。なお、単線コアの外径は、コアを構成する絶縁電線の直径である。また、撚線コアの外径は、その長手方向の断面において、全ての絶縁電線を包含する外接円の直径である。
【００１８】
シースは、複数のコアのうち両端に配置されたコアの外表面に沿って配置された一対の上記シース端部と、一対の上記シース端部を繋ぐ連結部と、該連結部における上記中空部を覆う部分の外側に設けられた上記補強部とを有している。
【００１９】
上記ケーブル幅方向における上記補強部の中央部の肉厚は、上記ケーブル幅方向における端部の肉厚よりも厚くなっていてもよい。この場合には、フラットケーブルの端末部にゴム栓を装着した際に、補強部にかかる面圧をより大きくすることができる。その結果、止水性能をより向上させることができる。
【００２０】
また、フラットケーブルの長手方向に垂直な断面において、上記補強部の外表面は弧状を呈していてもよい。この場合には、補強部の外表面における凹凸を小さくすることができるため、ゴム栓と補強部との間に隙間がより形成されにくくなる。その結果、止水性能をより向上させることができる。
【００２１】
上記補強部は、上記ケーブル幅方向における上記連結部の全体にわたって設けられていることが好ましい。フラットケーブルの端末部にゴム栓を装着した場合、ゴム栓による面圧は、シース端部において最も高くなり、ケーブル幅方向におけるシースの中央へ向かうにつれて面圧が低くなる傾向がある。これに対し、ケーブル幅方向における上記連結部の全体にわたって補強部を配置することにより、補強部全体に十分に大きな面圧をかけることができる。その結果、止水性能をより向上させることができる。
【００２２】
また、上記フラットケーブルの長手方向に垂直な断面において、上記シースの外表面は楕円状を呈していることが好ましい。上記の「楕円状」には、楕円と、楕円に類する形状であって、シース端部の外表面を構成する曲線と、補強部の外表面を構成する曲線とが滑らかにつながっている形状が含まれる。楕円に類する形状としては、例えば、卵形や、長円形における平坦部分を外方に膨出させてなる形状などがある。シースの外表面に凹凸があり、凹部と凸部との境界線が明瞭に視認できる形状は、上記の「楕円状」からは除外される。
【００２３】
シースの形状を上記特定の形状とすることにより、フラットケーブルの端末部にゴム栓を装着した際に、ゴム栓とシースとの間に隙間がより形成されにくくなる。また、この場合には、シースの外表面に十分な大きさの面圧をかけることができる。その結果、止水性能をより向上させることができる。
【００２４】
なお、補強部は、上述したように、上記ケーブル幅方向における上記連結部の全体にわたって設けられていることが好ましいが、上記連結部における上記中空部を覆う部分ごとに分離して設けられていてもよい。
【００２５】
シースの材質としては、具体的には、例えば、ポリウレタン樹脂、塩化ビニル樹脂などを例示することができる。シースの材質としては、耐外傷性、耐磨耗性などの観点から、ポリウレタン樹脂を好適に用いることができる。
【００２６】
シースの内部には、複数のコアのうちいずれかのコアの外表面と、当該コアに隣り合うコアの外表面と、シースの内表面とにより囲まれた中空部が形成されている。中空部内には、紙類、ポリエチレン等のポリオレフィン樹脂、タルクなどからなる介在物が配置されていてもよい。中空部内に介在物を配置することにより、コア表面の凹凸を小さくすることができる。その結果、コア表面の凹凸に起因したシース外表面の凹凸をより小さくすることができ、うねり等の少ない良好な外観を有する自動車用複合ケーブルが得られる。
【００２７】
上記止水ケーブルは、上記フラットケーブルの端末部に存在するシースを除去して絶縁電線を露出させた後、当該端末部に上記ゴム栓を装着することにより作製することができる。上記ゴム栓は、上記シースの外表面を被覆するシース被覆部と、該シース被覆部に連なり、上記絶縁電線の突出部を被覆する電線被覆部と、該電線被覆部の先端に形成され、上記突出部を挿通する貫通孔とを有している。ゴム栓の材質としては、例えば、シリコーンゴムやポリウレタンゴムなどを例示することができる。
【００２８】
また、止水ケーブルは、ゴム栓を覆うハウジング部を更に有しており、ハウジング部は、シース被覆部を内側に押圧するシース押圧部と、電線被覆部を内側に押圧する電線押圧部を有していてもよい。この場合には、シース被覆部をシースの外表面に確実に密着させることができるとともに、電線被覆部を絶縁電線の外表面に確実に密着させることができる。それ故、止水性能をより向上させることができる。ハウジング部の材質としては、例えば、ポリブチレンテレフタレートやナイロンなどの硬質プラスチックを例示することができる。
【実施例】
【００２９】
（実施例１）
上記フラットケーブルを備えた止水ケーブルの実施例を、図を用いて説明する。図１に示すように、止水ケーブル１は、フラットケーブル２と、フラットケーブル２の端末部２１に装着されたゴム栓３とを有している。図２に示すように、フラットケーブル２は、複数のコア４と、複数のコア４を一括して覆うシース５とを有している。コア４は、１本の絶縁電線４０及び／または複数の絶縁電線４０を備え、絶縁電線４０の長手方向に直交するケーブル幅方向に並んでいる。シース５の内部には、複数のコア４（４ａ、４ｂ）のうちいずれかのコア４ａの外表面４００ａと、当該コア４ａに隣り合うコア４ｂの外表面４００ｂと、シース５の内表面とにより囲まれた中空部５１が形成されている。
【００３０】
シース５は、複数のコア４のうち両端に配置されたコア４ａ、４ｂの外表面４００ａ、４００ｂに沿う一対のシース端部５２と、一対のシース端部５２を繋ぐ連結部５３と、連結部５３と一体に形成されており、連結部５３における中空部５１を覆う部分の外側に設けられた補強部５４とを有している。
【００３１】
図１に示すように、フラットケーブル２の端末部２１は、シース５と、シース５から突出した絶縁電線４０とを有している。ゴム栓３は、シース５を被覆するシース被覆部３１と、シース被覆部３１に連なり、絶縁電線４０の突出部４３を被覆する電線被覆部３２とを有している。電線被覆部３２には貫通孔３３が形成されており、貫通孔３３には絶縁電線４０が挿通されている。
【００３２】
図２に示すように、本例のフラットケーブル２は、シース５の内部に２本のコア４を有している。各コア４は、導体４１と、導体４１を被覆する絶縁体４２とを備えた１本の絶縁電線４０からなる単線コアである。また、２本のコア４は、絶縁体４２同士が当接するようにして配置されている。
【００３３】
シース端部５２は、長手方向に垂直な断面において半円状を呈している。また、連結部５３は、当該断面においてケーブル幅方向に延びる直線状を呈している。補強部５４は、連結部５３と一体に形成されており、ケーブル幅方向における連結部５３の全体にわたって設けられている。また、補強部５４のケーブル幅方向における中央部５４１の肉厚は、ケーブル幅方向における端部５４２の肉厚よりも厚くなっている。さらに、フラットケーブル２の長手方向に垂直な断面において、補強部５４の外表面５４３は弧状を呈している。
【００３４】
フラットケーブル２の長手方向に垂直な断面において、シース５の外表面５１０は楕円状を呈している。即ち、当該断面において、シース端部５２の外表面と、補強部５４の外表面とが滑らかに接続されている。シース５の内表面は、シース端部５２の内表面からなる一対の半円と、連結部５３の内表面５００からなる直線とが接続された長円形を呈している。
【００３５】
シース５の外表面５１０は、ゴム栓３のシース被覆部３１に覆われている。本例のシース被覆部３１は、シース５の外形に対応した筒状を呈しており、シース５に密着している。また、シース５の外表面５１０にはシース被覆部３１による面圧が印加されている。
【００３６】
本例のゴム栓３は、コア４を覆う２個の電線被覆部３２を有している。電線被覆部３２は、シース被覆部３１からフラットケーブルの長手方向に延設されている。また、電線被覆部３２は、絶縁電線４０を挿通する貫通孔３３を有している。貫通孔３３の一端はシース被覆部３１の筒内に連通している。また、貫通孔３３の他端からは絶縁電線４０が延出している。
【００３７】
本例の止水ケーブル１は、例えば、自動車等の車両の分野における、車輪に取り付けられたブレーキ装置と、車体に取り付けられた電子制御ユニットとを接続する用途等に適用することができる。
【００３８】
本例のフラットケーブル２及び止水ケーブル１の作用効果を説明する。シース５は、一対のシース端部５２と、一対のシース端部５２を繋ぐ連結部５３と、連結部５３における中空部５１を覆う部分の外側に設けられた補強部５４とを有している。それ故、フラットケーブル２の端末部２１にゴム栓３が装着された際に、シース５における中空部５１を覆う部分が内側に陥没することを抑制することができる。これにより、端末部２１にゴム栓３が装着された際に、シース５の外表面に十分な大きさの面圧をかけることができる。その結果、フラットケーブル２は、ゴム栓３により端末部２１の止水を行うことができる。
【００３９】
また、シース５に補強部５４を設けることにより、シース５の形状に合致しないゴム栓３を装着した場合であっても、シース５の外表面に加わる面圧を十分に大きくすることができる。それ故、フラットケーブル２によれば、形状や大きさが異なる種々のフラットケーブル２に共通のゴム栓３を適用することができる。その結果、ゴム栓３の形状変更に要する手間や費用等を低減するという効果を期待することができる。
【００４０】
ケーブル幅方向における補強部５４の中央部５４１の肉厚は、ケーブル幅方向における端部５４２の肉厚よりも厚くなっている。そのため、フラットケーブル２の端末部２１にゴム栓３を装着した際に、補強部５４にかかる面圧をより大きくすることができる。その結果、止水性能をより向上させることができる。
【００４１】
フラットケーブル２の長手方向に垂直な断面において、補強部５４の外表面５４３は弧状を呈している。それ故、補強部５４の外表面５４３における凹凸を小さくすることができ、ゴム栓３と補強部５４との間に隙間がより形成されにくくなる。その結果、止水性能をより向上させることができる。
【００４２】
補強部５４は、ケーブル幅方向における連結部５３の全体にわたって設けられている。これにより、フラットケーブル２の端末部２１にゴム栓３を装着した際に、補強部５４全体に十分に大きな面圧をかけることができる。その結果、止水性能をより向上させることができる。
【００４３】
フラットケーブル２の長手方向に垂直な断面において、シース５の外表面５１０は楕円状を呈している。それ故、フラットケーブル２の端末部２１にゴム栓３を装着した際に、ゴム栓３とシース５との間に隙間がより形成されにくくなるとともに、シース５の外表面に十分な大きさの面圧をかけることができる。その結果、止水性能をより向上させることができる。
【００４４】
以上のように、本例のフラットケーブル２は、ゴム栓３により端末部２１の止水を行うことができる。
【００４５】
また、止水ケーブル１は、フラットケーブル２と、フラットケーブル２の端末部２１に装着されたゴム栓３とを有している。止水ケーブル２においては、シース被覆部３１がシース端部５２及び補強部５４を押圧することにより、シース被覆部３１とシース３との間からシース３の内部等への水等の侵入を抑制することができる。また、電線被覆部３２が絶縁電線４０の突出部４３を押圧することにより、電線被覆部３２と突出部４３との間から絶縁電線４０の内部等への水等の侵入を抑制することができる。それ故、本例の止水ケーブル１は、優れた止水性能を有している。
【００４６】
（実施例２）
本例は、シース５内のコア４０２が撚線コアであるフラットケーブル２０２及び止水ケーブル１０２の例である。なお、本実施例以降において用いる符号のうち、既出の実施例において用いた符号と同一のものは、特に説明のない限り、既出の実施例における構成要素等と同様の構成要素等を表す。
【００４７】
図３に示すように、本例の止水ケーブル１０２は、フラットケーブル２０２と、フラットケーブル２０２の端末部２１に装着されたゴム栓３０２とを有している。図４に示すように、フラットケーブル２０２のシース５内には、２本のコア４０２が配置されている。本例のコア４０２は、４本の絶縁電線４０が互いに撚り合わされてなる撚線コアである。図には示さないが、各コア４０２の撚りはフラットケーブル２０２の端末部２１において解かれている。これにより、端末部２１において、シース５から８本の絶縁電線４０が突出している。
【００４８】
本例のゴム栓３０２は、シース被覆部３１と、これに連なる１つの電線被覆部３２とを有している。図４に示すように、電線被覆部３２には、ケーブル幅方向に並んだ８個の貫通孔３３が形成されている。絶縁電線４０は、これらの貫通孔３３に挿通されており、ケーブル幅方向に並んだ状態でゴム栓３０２の外部に延出している。
【００４９】
また、図３及び図４に示すように、本例の止水ケーブル１０２は、ゴム栓３０２に装着されたハウジング部６を更に有している。ハウジング部６は、シース被覆部３１を内側に押圧するシース押圧部６１と、電線被覆部３２を内側に押圧する電線押圧部６２とを有している。
【００５０】
本例のシース押圧部６１は、シース被覆部３１の外形よりもわずかに小さい筒状を呈している。ハウジング部６がゴム栓３０２に装着された状態において、シース被覆部３１は、シース押圧部６１により覆われている。
【００５１】
また、電線押圧部６２は、シース押圧部６１からフラットケーブル２の長手方向に延設されており、電線被覆部３２の外形よりもわずかに小さい筒状を呈している。ハウジング部６がゴム栓３０２に装着された状態において、電線押圧部３２は、電線押圧部６２により覆われている。
【００５２】
本例のハウジング部６は、さらに、電線押圧部６２からフラットケーブル２の長手方向に延設された筒状部６３を有している。筒状部６３には、ゴム栓３０２の貫通孔３３から延出した絶縁電線４０が挿通されている。その他は実施例１と同様である。
【００５３】
本例のように、撚線コアを用いる場合であっても、シース５０２に補強部５４を設けることにより、ゴム栓３０２を用いてフラットケーブル２０２の止水処理を行うことができる。
【００５４】
また、止水ケーブル１０２は、シース被覆部３１を内側に押圧するシース押圧部６１と、電線被覆部３２を内側に押圧する電線押圧部６２とを備えたハウジング部６を更に有している。ハウジング部６をゴム栓３０２に装着することにより、シース被覆部３１をシース５の外表面に確実に密着させることができるとともに、電線被覆部３２を絶縁電線４０の外表面に確実に密着させることができる。そして、シース５及び絶縁電線４０に加わる面圧をより大きくすることができる。その結果、止水性能をより向上させることができる。その他、本例のフラットケーブル２０２及び止水ケーブル１０２は、実施例１と同様の作用効果を奏することができる。
【００５５】
（実施例３）
本例は、単線コアと撚線コアとが混在しているフラットケーブル２０３及び止水ケーブル１０３の例である。図５及び図６に示すように、本例のフラットケーブル２０３は、ケーブル幅方向に並んだ４本のコア４０３（４０３ａ、４０３ｂ、４０３ｃ、４０３ｄ）と、コア４０３を一括して被覆するシース５０３とを有しており、シース５０３の内部には中空部５１が形成されている。
【００５６】
４本のコア４０３のうち、ケーブル幅方向の外側に配置された２本のコア４０３ａ、４０３ｄは、１本の絶縁電線４０からなる単線コアである。また、残り２本のコア４０３ｂ、４０３ｃは、互いに撚り合わされた２本の絶縁電線４０からなる撚線コアである。その他は実施例２と同様である。
【００５７】
本例のように、シース３０３の内部には、単線コアと撚線コアとが混在していてもよい。本例のフラットケーブル２０３及び止水ケーブル１０３は、実施例２と同様の作用効果を奏することができる。
【００５８】
（実施例４）
本例は、中空部５１ごとに分割して形成されている補強部５４を備えたフラットケーブル２０４及び止水ケーブル１０４の例である。図７及び図８に示すように、本例のフラットケーブル２０４は、ケーブル幅方向に並んだ４本のコア４（４ａ、４ｂ、４ｃ、４ｄ）と、コア４を一括して被覆するシース５０４とを有しており、シース５０４の内部には中空部５１が形成されている。なお、本例のコア４は、図８に示すように、単線コアである。
【００５９】
図８に示すように、本例のシース５０４における補強部５４は、連結部５３における中空部５１を覆う部分ごとに分離して設けられている。即ち、図８における最も左側のコア４を第１コア４ａとし、第１コア４ａに近いコア４から順に第２コア４ｂ、第３コア４ｃ及び第４コア４ｄとしたときに、第１コア４ａと第２コア４ｂとの間の中空部５１ａ、第２コア４ｂと第３コア４ｃとの間の中空部５１ｂ及び第３コア４ｃと第４コア４ｄとの間の中空部５１ｃのそれぞれに対して補強部５４が設けられている。
【００６０】
ケーブル幅方向における補強部５４の中央部５４１の肉厚は、ケーブル幅方向における端部５４２の肉厚よりも厚くなっている。また、フラットケーブル２０４の長手方向に垂直な断面において、補強部５４の外表面５４３は弧状を呈している。その他は実施例２と同様である。
【００６１】
本例のフラットケーブル２０４は、ケーブル幅方向における補強部５４の中央部５４１の肉厚が、ケーブル幅方向における端部５４２の肉厚よりも厚くなっているため、フラットケーブル２０４の端末部２１にゴム栓３を装着した際に、補強部５４にかかる面圧をより大きくすることができる。その結果、止水性能をより向上させることができる。
【００６２】
また、フラットケーブル２０４の長手方向に垂直な断面において、補強部５４の外表面が弧状を呈しているため、ゴム栓３と補強部５４との間に隙間がより形成されにくくなる。その結果、止水性能をより向上させることができる。
【００６３】
なお、本発明に係るフラットケーブル及び止水ケーブルは、実施例１〜４に示した態様に限定されるものではなく、その趣旨を損なわない範囲で適宜構成を変更することができる。例えば、実施例１〜４には、フラットケーブル２、２０２、２０３、２０４の長手方向に垂直な断面において、補強部５４の外表面が弧状を呈している例を示したが、補強部５４の外表面は平坦であってもよい。
【００６４】
また、実施例２及び実施例３には、シース押圧部６１及び電線押圧部６２がシース被覆部３１及び電線被覆部３２の外形よりもわずかに細い筒状を呈している例を示したが、シース押圧部６１及び電線押圧部６２の形状を変更することも可能である。例えば、シース押圧部６１及び電線押圧部６２は、ハウジング部６の内側に設けた突起であってもよい。この場合、シース被覆部３１及び電線被覆部３２をこの突起で押圧することにより、シース被覆部３１及び電線被覆部３２をシース５及び絶縁電線４０に密着させることができる。
【００６５】
また、ハウジング部６の内側の形状を、ゴム栓３、３０２、３０３、３０４の外形と同一の形状とすることもできる。この場合には、例えば、ハウジング部６の外側に別の部材を設け、当該部材でハウジング部６を内側に押圧することにより、シース被覆部３１及び電線被覆部３２を内側に押圧するシース押圧部６１及び電線押圧部６２を形成することができる。
【符号の説明】
【００６６】
１、１０２、１０３、１０４  止水ケーブル
２、２０２、２０３、２０４  フラットケーブル
３、３０２、３０３、３０４  ゴム栓
４  コア
４０  絶縁電線
４１  導体
４２  絶縁体
５、５０３、５０４  シース
５１  中空部
５２  シース端部
５３  連結部
５４  補強部
６  ハウジング部
【図１】
0006524961.tif 000002
【図２】
0006524961.tif 000003
【図３】
0006524961.tif 000004
【図４】
0006524961.tif 000005
【図５】
0006524961.tif 000006
【図６】
0006524961.tif 000007
【図７】
0006524961.tif 000008
【図８】
0006524961.tif 000009